(57)【要約】      （修正有）【課題】熟練した職人が手作業で行う網張り作業を、誰もが理想的にはれるようにした円篩用網張り機の提供。【解決手段】網張り枠を中央に固定させるためのベアリングボールを使用した網張り枠押さえと、枠の位置を目視確認するためのライトと、網張りリングを上下させるエアシリンダと、ボルト、ナットで締め付ける網張りリングを備えた円篩用網張り機。【選択図】図１
2014069180.tif 000002
【特許請求の範囲】
【請求項１】
網を均一に張る為、網張り枠（図２・▲３▼）を中央に固定させる為、ベアリングボール（図２・▲２▼）を使用した網張り枠抑え（図２・▲１▼）。
【請求項２】
網張りテーブル（図２・▲４▼）の、ほぼ中央に網張り枠（図２・▲３▼）を設置する為、網を通して枠（図２・▲３▼）の位置を目視確認する事が出来る四箇所のライト（図２・▲１０▼）。
【請求項３】
網張り枠（図２・▲３▼）に網を張る為、網張りリング（図２・▲５▼）を上下させる事が出来る四箇所のエアーシリンダーシステム（図２・▲９▼）。
【請求項４】
網張り枠（図２・▲３▼）に網が均一に張られ、その網が緩まぬようボルト、ナットで締め付ける特殊網張りリング（図２・▲５▼及び、拡大図・図４）。
【請求項５】
請求項１・２・３・４の全てを兼ね備えた事を特徴とした円篩用網張り機（図１）。
【発明の詳細な説明】
【技術分野】
【０００１】  本発明は、熟練した職人が手作業で行う網張り作業を、誰もが理想的に張れるように開発した円篩用網張り機に関するものである。
【背景技術】
【０００２】  従来の円篩の張り方を説明する。網を張る為の土台となる円篩枠（図Ｂ・▲３▼）に網を乗せ、それぞれ各方向へ専用治具数種類、及び腕力にて一定の力で引っ張り、弛みやシワ、破損の無いように集中しながら網張りリング（図Ｂ・▲５▼）を嵌めこむ。【０００３】  前述のように、円篩の網張りは、不慣れな作業者や網張り初心者では、理想的な張り方は不可能と言える問題があった。
【先行技術文献】
【特許文献】
【０００４】
【特許文献１】特開２００６−１９４０５６
【発明の概要】
【発明が解決しようとする課題】
【０００５】  以上のように円篩の網張りとは、熟練した作業者が、数種類の治具等を酷使し、幾つかの（コツ）を交えて張って行くので、初心者や、不慣れの作業者でも理想的な網が張れる方法が切望されている。
【課題を解決するための手段】
【０００６】  前述のように、作業者の慣れやコツの部分を機械化する。【０００７】  請求項１に記載の発明によれば、網を均一に張る為、網張り枠（図２・▲３▼）を中央に固定させる為、ベアリングボール（図２・▲２▼）を使用した網張り枠抑え（図２・▲１▼）を設置した事を特徴とする円篩用網張り機（図１）が提供される。【０００８】  請求項２に記載の発明によれば、網張りテーブル（図２・▲４▼）の、ほぼ中央に網張り枠（図２・▲３▼）を設置する為、網を通して枠（図２・▲３▼）の位置を目視確認する事が出来る四箇所の位置確認用ライト（図２・▲１０▼）を設置した事を特徴とする円篩用網張り機（図１）が提供される。【０００９】  請求項３に記載の発明によれば、網張り枠（図２・▲３▼）に網を張る為、網張りリング（図２・▲５▼）を上下させる事が出来る、四箇所のエアーシリンダーシステム（図２・▲９▼）を設置した事を特徴とする円篩用網張り機（図１）が提供される。【００１０】  請求項４に記載の発明によれば、網張り枠（図２・▲８▼）に網が均一に張られ、その網が緩まぬようボルト、ナットで締め付ける特殊網張りリング（図２・▲５▼）及び、拡大図・図４）を設置した事を特徴とする円篩用網張り機（図１）が提供される。【００１１】  請求項５に記載の発明によれば、ベアリングボール（図２・▲２▼）を使用した網張り枠抑え（図２・▲１▼）とエアーシリンダー（図２・▲９▼）を使用して網張り用リング（図２・▲５▼）を上下させるエレベーター（図２・▲６▼）と、位置確認用ライト（図２・▲１０▼）と、特殊網張りリング（図２・▲５▼）を設置した事を特徴とする円篩用網張り機（図１）が提供される。
【発明の効果】
【００１２】  初めに従来の円篩の網張りについて説明する。【００１３】  元来、網張りとは、作業者が手作業で張るものであり、この網張り作業の工程の中に、網張り枠（図２・▲３▼）に網を乗せ、網張りリング（図２・▲５▼）をはめ込むという作業が有る。解りやすく説明すると、例えば、太鼓に置き換えると、篩枠とは、太鼓の胴の部分で、張ってある皮が網に例えられる。そして、網張りリングとは、木桶で例えれば、タガにあたる部位であり、張った網を緩まないように押さえておく為のものである。【００１４】  次に本発明の円篩用網張り機（図・▲１▼）の説明及び作業手順の説明をする。【００１５】  まず最初に網張りリング（図２・▲５▼）を網張りリング取り付け用エレベーター（図２・▲６▼）に設置する為、エアーシリンダー（図２・▲９▼）の上げスイッチを入れ、網張りリング取り付け用エレベーター（図２・▲６▼）を最上部に押し上げる（図３状態）。【００１６】  最上部に到達した事を確認したら、網張りリング（図２・▲５▼）を設置し、リングのナットを広がる側に回して、ガタつきの無いようしっかりと固定する（図４参照）。【００１７】  次に、エアーシリンダー（図２・▲９▼）の下げスイッチを押して、網張りリング取り付け用エレベーター（図２・▲６▼）を最下部の定位置へ確定する（図２状態）。【００１８】  次に、網張りテーブル（図２・▲４▼）と網張り枠（図２・▲３▼）の間に網を挟み込む。【００１９】  次に、位置確認用のライト（図２・▲１０▼）を点灯すると、網張りテーブル（図２・▲４▼）と網張りリング取り付け用エレベーター（図２・▲６▼）の隙間から、四箇所有るライト穴（図２・▲７▼）を通して上方へ明かりが透過する為、網の上から目視で確認しながら、網張り枠（図２・▲３▼）をほぼ中央に設置する。【００２０】  次に四箇所有る網張り枠抑え（（図２・▲１▼）を網張り枠（図２・▲３▼）の上に設置し、ベアリングボール（図２・▲２▼）と網張り枠（図２・▲３▼）の隙間が無いよう調整する。【００２１】  次にエアーシリンダー（図２・▲９▼）の上げスイッチを入れ、網張りリング取り付け用エレベーター（図２・▲６▼）を、最上部に上げる（図３参照）。（この時に網が押し上げられ、網張り枠（図２・▲３▼）に網が下から被せられる）。【００２２】  次に、網が綺麗に張れた事を確認したら、リングカシメ用のナット（図４）を締める。【００２３】  次に網張りリング取り付け用エレベーター（図２・▲６▼）の下げスイッチを押して、エレベーターを下げる（図２参照）。【００２４】  これらにより、網張り枠（図２・▲３▼）に網を張る事が出来、初心者や不慣れな作業者でも、理想的な網張りが出来る。
【選択図】
【図面の簡単な説明】
【００２５】
【図１】本発明の実施形態を表す円篩用網張り機の一部破断斜視図である。
【図２】図１で、円で囲んだ部位の拡大図で、網張りリング取り付け用エレベーター（図２・▲６▼）が下がった状態である。
【図３】図１で、円で囲んだ部位の拡大図で、網張りリング取り付け用エレベーター（図２・▲６▼）が上がった状態である。
【図４】図１で、円で囲んだ部位の拡大図で、網張りリング締め付け用ボルトナット部分である。
【符号の説明】
【００２６】  ▲１▼  網張り枠抑え
▲２▼  ベアリングボール
▲３▼  網張り枠
▲４▼  網張りテーブル
▲５▼  網張りリング
▲６▼  網張りリング取り付け用エレベーター
▲７▼  ライト穴
▲８▼  円篩用網張り機の足
▲９▼  エアーシリンダー
▲１０▼  位置確認用のライト
【産業上の利用可能性】
【００２７】  現段階で使用されている網張りリングは、本発明請求項４のようなボルトナット機構が無い為、１種類しか張れない専用リングとなるが、本発明はリングの幅を任意で変えられる為、数種類の網が使用可能である。
【図１】
2014069180.tif 000003
【図２】
2014069180.tif 000004
【図３】
2014069180.tif 000005
【図４】
2014069180.tif 000006